(57)【要約】【課題】間仕切パネル本体に、支持体を強固に連結することにより、間仕切パネル本体を安定よく自立させうるようにした間仕切り装置を提供する。【解決手段】支持体としての脚体３の脚柱３aの上下複数箇所に、前後方向を向く左右１対ずつの連結アーム４０の前端部を、脚柱３aを両側方より挟持するようにして固着し、かつ左右１対の連結アーム４０の後端部を、間仕切パネル本体の横連結杆６の前面の係止溝８に固定することにより、脚体３を、その下端が接床するようにして、間仕切パネル本体の前面に連結する。【選択図】  図５
2009108643.tif 000002
【特許請求の範囲】
【請求項１】
前面がパネルにより覆われた左右方向を向く間仕切パネル本体の少なくとも前面側に配置された上下方向を向く支持体の上下複数箇所に、前後方向を向く左右１対ずつの連結アームの前端部を、支持体を両側方より挟持するようにして固着し、かつ前記左右１対の連結アームの後端部を、前記間仕切パネル本体の前面に固定することにより、支持体を、その下端が接床するようにして、前記間仕切パネル本体の前面に連結したことを特徴とする間仕切り装置。
【請求項２】
間仕切パネル本体における上下の連結アーム間に位置するパネルを着脱可能とし、支持体が前記パネルの前面より前方に離間するようにして、左右の連結アームの前端部を支持体に固着してなる請求項１記載の間仕切り装置。
【請求項３】
左右の連結アームと支持体の両側面との対向面のいずれか一方に突部を、かつ他方に、突部に嵌合される凹部を、それぞれ設けてなる請求項１または２記載の間仕切り装置。
【請求項４】
突部と凹部を非円形をなすものとして、前後に離間させて２個ずつ設け、それらを互いに嵌合した状態で、前後の突部と凹部との間において、ねじにより左右の連結アームの前端部を支持体に固着してなる請求項３記載の間仕切り装置。
【請求項５】
間仕切パネル本体の前面における上下のパネル間に、左右方向を向く上下複数の係止溝を設け、この係止溝に、連結アームの後面に後向き突設された左右１対の突部を嵌合させて、左右の連結アームの後端部を間仕切パネル本体の前面に固定してなる請求項１〜４のいずれかに記載の間仕切り装置。
【請求項６】
左右の連結アームにおける互いに対向する側の突部を、対向面同士が互いに当接するように内向きにも突出させることにより、左右の連結アームの対向面間に、支持体の左右寸法とほぼ等しい隙間が形成されるようにしてなる請求項５記載の間仕切り装置。
【請求項７】
係止溝を、間仕切パネル本体のフレームの一部を構成する上下複数の横連結杆の前面に設けてなる請求項５または６記載の間仕切り装置。
【請求項８】
係止溝を、開口部の上下寸法が奥部の上下寸法よりも小さなあり溝状とし、このあり溝状の係止溝内に係合可能な連結金具に設けた前後方向を向くめねじ孔に、連結アームの後端部に挿入したボルトを螺合させて締め付けることにより、連結アームの後端部を間仕切パネル本体の前面に固定してなる請求項５〜７のいずれかに記載の間仕切り装置。
【請求項９】
連結金具を、連結アームの後面に突設された左右の突部の間に嵌合し、両突部間において連結金具のめねじ孔にボルトを螺合させて締め付けてなる請求項８記載の間仕切り装置。
【発明の詳細な説明】
【技術分野】
【０００１】
本発明は、オフィス等の室内空間を仕切る間仕切り装置、特に、間仕切りパネル本体と、これを自立させる支持体とを備える間仕切り装置に関する。
【背景技術】
【０００２】
間仕切パネル本体を自立させて設置するには、例えば特許文献１及び２に記載されているように、間仕切パネル本体同士を互いに直交状に連結するか、もしくは特許文献３及び４に記載されているように、左右方向を向く間仕切パネル本体の両側端部に安定脚を取り付けたり、前面に前後方向を向く脚板を取り付けたりするのが一般的である。
【特許文献１】特開２００２−５４２５８号公報
【特許文献２】特開２００４ー１０７８９４号公報
【特許文献３】特開２００３−１２９５９５号公報
【特許文献４】特開２００３−１９３５９７号公報
【発明の開示】
【発明が解決しようとする課題】
【０００３】
上記特許文献１及び２に記載されている前者の間仕切り装置においては、間仕切パネル本体同士が、互いに直交状に連結されているので、間仕切パネル本体を安定して自立させることができる。
しかし、特許文献３及び４に記載されている後者のものにおいては、いずれも、安定脚が間仕切パネル本体の支柱の下端部に取付けられているので、上下寸法の大きな間仕切パネル本体では、安定性に欠ける。
【０００４】
本発明は、上記問題点に鑑みてなされたもので、間仕切パネル本体に、支持体を強固に連結することにより、間仕切パネル本体を安定よく自立させうるようにした間仕切り装置を提供することを目的としている。
【課題を解決するための手段】
【０００５】
本発明によると、上記課題は、次のようにして解決される。
（１)前面がパネルにより覆われた左右方向を向く間仕切パネル本体の少なくとも前面側に配置された上下方向を向く支持体の上下複数箇所に、前後方向を向く左右１対ずつの連結アームの前端部を、支持体を両側方より挟持するようにして固着し、かつ前記左右１対の連結アームの後端部を、前記間仕切パネル本体の前面に固定することにより、支持体を、その下端が接床するようにして、前記間仕切パネル本体の前面に連結する。
【０００６】
（２）上記(１)項において、間仕切パネル本体における上下の連結アーム間に位置するパネルを着脱可能とし、支持体が前記パネルの前面より前方に離間するようにして、左右の連結アームの前端部を支持体に固着する。
【０００７】
（３）上記(１)または(２)項において、左右の連結アームと支持体の両側面との対向面のいずれか一方に突部を、かつ他方に、突部に嵌合される凹部を、それぞれ設ける。
【０００８】
（４）上記(３)項において、突部と凹部を非円形をなすものとして、前後に離間させて２個ずつ設け、それらを互いに嵌合した状態で、前後の突部と凹部との間において、ねじにより左右の連結アームの前端部を支持体に固着する。
【０００９】
（５）上記(１)〜(４)項のいずれかにおいて、間仕切パネル本体の前面における上下のパネル間に、左右方向を向く上下複数の係止溝を設け、この係止溝に、連結アームの後面に後向き突設された左右１対の突部を嵌合させて、左右の連結アームの後端部を間仕切パネル本体の前面に固定する。
【００１０】
（６）上記(５)項において、左右の連結アームにおける互いに対向する側の突部を、対向面同士が互いに当接するように内向きにも突出させることにより、左右の連結アームの対向面間に、支持体の左右寸法とほぼ等しい隙間が形成されるようにする。
【００１１】
（７）上記(５)または(６)項において、係止溝を、間仕切パネル本体のフレームの一部を構成する上下複数の横連結杆の前面に設ける。
【００１２】
（８）上記(５)〜(７)項のいずれかにおいて、係止溝を、開口部の上下寸法が奥部の上下寸法よりも小さなあり溝状とし、このあり溝状の係止溝内に係合可能な連結金具に設けた前後方向を向くめねじ孔に、連結アームの後端部に挿入したボルトを螺合させて締め付けることにより、連結アームの後端部を間仕切パネル本体の前面に固定する。
【００１３】
（９）上記(８)項において、連結金具を、連結アームの後面に突設された左右の突部の間に嵌合し、両突部間において連結金具のめねじ孔にボルトを螺合させて締め付ける。
【発明の効果】
【００１４】
請求項１記載の発明によれば、支持体は、その上下の複数箇所が、左右１対の連結アームの前端部により挾持されて固着され、かつこの状態で、上下の左右１対ずつの連結アームの後端部を間仕切パネル本体の前面に固定してあるので、間仕切パネル本体に、支持体を強固に連結することができ、間仕切パネル本体を安定よく自立させることができる。
【００１５】
請求項２記載の発明によれば、支持体を間仕切パネル本体に連結したまま、上下の連結アーム間のパネルを前方より着脱しうるので、例えば間仕切パネル本体に通線空間を設けるなどした際に、配線作業やメンテナンス作業等を容易に行うことができる。
【００１６】
請求項３記載の発明によれば、左右の連結アームと支持体とを、互いに位置決めして正確に固着することができる。
【００１７】
請求項４記載の発明によれば、非円形をなす突部と凹部が互いに嵌合されているので、左右の連結アームと支持体との固着部が、上下方向に相対的に回動するのが防止される。従って、前後の突部と凹部間において、連結アームと支持杆とを１個のねじにより固着しただけでも、互いの結合強度は大となる。
【００１８】
請求項５記載の発明によれば、左右の連結アームの後端部を、間仕切パネル本体の前面に、正確に位置決めして固定することができる。
また、連結アーム後端の左右の突部が、係止溝に嵌合しているので、間仕切パネル本体に対し、連結アームが、前後方向を向く軸回りに回動する恐れがない。
【００１９】
請求項６記載の発明によれば、左右の連結アーム同士の左右方向の位置決めが正確になされるとともに、それらの対向面と、支持体の両側面とが互いに左右平行をなすようにして、確実かつ体裁よく固着される。
また、左右の連結アームの突部同士を当接させた状態で係止溝に嵌合され、左右の連結アームの後端部同士が一体感を呈するようにして固定されるので、両連結アームを間仕切パネル本体の前面に、より強固に固定することができる。
【００２０】
請求項７記載の発明によれば、支持体は、実質的に間仕切パネル本体のフレームに連結され、支持体の連結強度が高まるので、間仕切パネル本体の安定性がより向上する。
【００２１】
請求項８記載の発明によれば、連結金具とボルトを用いて、連結アームの後端部を、間仕切パネル本体の係止溝に前方より容易に、かつ強固に固定することができる。
また、ボルトを緩めると、連結アームは、係止溝に沿って左右方向に移動可能となるので、間仕切パネル本体に対し、支持体の左右位置を自由に変更することができる。
【００２２】
請求項９記載の発明によれば、連結金具が左右方向に正確に位置決めされ、かつ回り止めされるので、ボルトをめねじ孔に容易に螺合させることができる。
【発明を実施するための最良の形態】
【００２３】
以下、本発明の実施形態を、図面に基づいて説明する。
図１は、本発明の間仕切り装置の斜視図で、この間仕切り装置は、間仕切パネル本体１と、その前面(以下、図１の右方を前として説明する)に取付けられた配線収容体２と、この配線収容体２の前方に位置するようにして、間仕切パネル本体１の前側に取付けられた、これを支持するための支持体である側面視前向Ｌ字状の左右１対の脚体３、３、及びテーブル４を備えている。
【００２４】
図２は、脚体３及びテーブル４を取り外した状態の間仕切パネル本体１と、配線収容体２の右半部を分解して示す斜視図、図３は、同じく、一部切欠き拡大正面図、図４は、図３のIV-IV線拡大縦断側面図(脚体とテーブルは図示略)である。
【００２５】
間仕切パネル本体１は、左右１対の支柱５、５の上下両端部と上方寄りの中間部同士とを、上下３個の横連結杆６により連結して形成された、横長の方形枠状をなすフレーム７を備え、各横連結杆６の前後両面には、先端に互いに対向する上下１対の内向突片６a、６aを突設することにより、開口部の上下寸法が奥部内の上下寸法よりも小とされた、あり溝状の係止溝８が、左右方向に全長に亘って形成されている。
【００２６】
左右の支柱５の外側面には、側部カバー９、９が、また、最上部の横連結杆６の上面には、上部カバー１０が、それぞれ着脱可能に止着されている。
最下部の横連結杆６における両側端部の下面には、高さ調整用のアジャスタ１１、１１が取付けられている。
【００２７】
最上部の横連結杆６と中間部の横連結杆６との前後それぞれの対向面間には、上下寸法の小さな目隠しパネル１２、１２が、また、最下部の横連結杆６と中間部の横連結杆６との後部側の対向面間には、後部化粧パネル１３が、それぞれ、支柱５の前後両面に形成された上下複数の係合孔１４の少なくとも上下２個のものに、各パネル１２、１３における支柱５との対向面に突設された上下の係止爪(図示略)を係止することにより、取外し可能として装着されている。
【００２８】
次に、配線収容体２について詳細に説明する。なお、配線収容体２は、右半部と左半部が同一構成となっているため、右半部のみを説明する。
図２に示すように、右半部の配線収容体２は、左右方向を向く上下１対の横支持杆１５、１６と、左右対象をなす１対の縦支持杆１７、１７と、上下２個の配線トレー１８、１８と、前面パネル１９とを備えている。
【００２９】
上下の横支持杆１５、１６は、それぞれ鋼板により形成されたもので、間仕切パネル本体１における中間部と下部の横連結杆６、６及び左右の支柱５の前面に、次のようにして取付けられている。
【００３０】
図４に示すように、上部の横支持杆１５における両側端部の後面には、側面視上向き鉤状の係止片２０が固着され、この係止片２０を、中間部の横連結杆６の下面における前後の端縁に下向き突設された左右方向を向く前後１対の突条片２１、２１の前部側のものに、後下方より係合させたのち、横支持杆１５の下端に全長に亘って連設された、側面視倒立Ｌ字状断面をなす後向折曲片１５aの両側端部を、左右の支柱５の前面に、止めねじ２２をもって固定することにより、上部の横支持杆１５は、その上端が、中間部の横連結杆６の突片６aの下面に当接または近接するようにして、中間部の横連結杆６の下部と左右の支柱５の中間部前面に取付けられている。なお、左右の係止片２０が横連結杆６の突条片２１に係合しているので、横支持片１５の上部が前方に倒れる恐れはない。
【００３１】
下部の横支持杆１６における両側端部の後面には、側面視下向鉤状の係止片２３が固着され、この係止片２３を、下部の横連結杆６における上面の中央部に上向き突設された左右方向を向く前後１対の突条片２４の前部側のものに、後上方より係合させたのち、横支持杆１６の上端に全長に亘って連設された、側面視Ｌ字状断面をなす後向折曲片１６aの両側端部を、左右の支柱５の前面下部に、止めねじ２２をもって固定することにより、下部の横支持杆１６は、その下端が、下部の横連結杆６の内向突片６aの上面に当接または近接するようにして、下部の横連結杆６の上部と左右の支柱５の下部前面に取付けられている。
【００３２】
上下の横支持杆１５、１６における後向折曲片１５a、１６aの前面には、左右の支柱５、５と、中間部と下部の横連結杆６、６とにより囲まれた空間を閉塞する閉塞板２３の上下の端部が、複数のねじ２４により固定されている。
【００３３】
上記左右の縦支持杆１７、１７は、それぞれ、鋼板を折曲することにより、前面板１７aと後面板１７b、側面板１７c及び上面板１７dを有する縦長箱状に形成され、互いに対向する側面と下面は、配線用に開口してある。また、側面板１７cの上下の端部には、方形の通線孔２５、２５が形成され、この通線孔２５を通して、左右方向に連続して配線しうるようにしてある。
【００３４】
左右の縦支持杆１７は、それらの前面板１７aの上下の端部に形成された左右２個ずつの通孔２６から内部に挿入したボルト２７を、後面板１７bの図示しない取付孔を介して、上下の横支持杆１５、１６の側端部と中央部に設けた左右２個ずつの取付孔２８に挿入し、かつ各取付孔２８と対応する後面に溶接された左右２個ずつのナット２９に螺合させて締め付けることにより、上下の横支持杆１５、１６の側端部と中央部の前面に固着されている。
【００３５】
上下の配線トレー１８は、平板状鋼板よりなり、前端と後端には、左右方向を向く上向片１８aと下向片１８bが、また両側端には、下向側片１８c、１８cがそれぞれ連設されている。
配線トレー１８の上面には、上下方向に配線するための複数(実施形態では３個)の方形をなす通線孔３０が穿設されている。
【００３６】
上下の配線トレー１８は、図４に示すように、左右の下向側片１８cを、左右の縦支持杆１７における互いに対向する側の開口縁に連設された、互いに対向する内向折曲片１７e、１７eの切欠き段部の上縁に上方より係止したのち、内方より止めねじ３１をもって固定することにより、上向片１８aの前面と縦支持杆１７の前面とがほぼ整合するとともに、下向片１８bの後面が、閉塞板２３の前面と当接または近接するように、かつ上面が通線孔２５と連続するようにして、上下２段に取付けられている。なお、止めねじ３１は省略することもある。
【００３７】
上記前面パネル１９は、その両側端部後面に設けた、係止部としての上下１対の下向鉤状の係止フック３２、３２を、左右の縦支持杆１７における前面板１７aの上下両端部に設けた、被係止部としての係止孔３３、３３に係止することにより、両縦支持杆１７と上下の配線トレー１８の前面を覆うようにして、着脱可能に取付けられている。
前面パネル１９の取付後において、その後面と閉塞板２３の前面との間に、通線空間Ｓが形成される。
【００３８】
左右の縦支持杆１７における上面板１７dには、上カバー３４が、その両側端部下面のスペーサ３５に取付けた公知の止め具３５aを、上面板１７dに設けた係合孔(図示略)に弾性係合させることにより、着脱可能に止着されている。
図４に示すように、上カバー３４の後端と横支持杆１５の前面との間には、テーブル４で使用されるＯＡ機器等のケーブルなどを通線空間Ｓ内に引き込んだり、上方に引き出したりするための配線取出口３６が、左右方向に沿って形成され、この配線取出口３６は、上カバー３４の後端部に取付けられた、上下方向に弾性変形可能なゴムまたはエラストマーよりなるカバー片３７により塞がれている。
【００３９】
側端部の縦支持杆１７の外側面には、サイドカバー３８が、その内側面の下部と上部寄りに突設された前後２個ずつの下向鉤状の係止フック３９を、側面板１７cの上下の通線孔２５の下縁部に係止することにより、着脱可能に取付けられている。なお、間仕切パネル本体１を左右方向に複数並べて設置する際には、各間仕切パネル本体１に設けた配線収容体２の通線空間Ｓ同士が、互いに左右方向に連通するように、サイドカバー３７は省略して実施される。
【００４０】
また、上記と同様の配線収容体２を、間仕切パネル本体１のフレーム７の後面側にも取付けることができるが、この際には、前後の配線収容体２の通線空間Ｓ同士を連通させて、間仕切パネル本体１を挟む前後両方向にも配線しうるように、閉塞板２３を省略することもある。
【００４１】
配線収容体２、すなわちそれを構成している全ての部材は、間仕切パネル本体１のフレーム７に取外し可能に取付けられているので、もし、配線収容体２が不要となった際には、これを取外してフレーム７の前面に化粧パネルを取付けることにより、通常仕様の間仕切り装置に変更することもできる。
【００４２】
次に、図５〜図７を参照して、上記脚体３、３の間仕切パネル本体１への連結構造について説明する。なお、図１に示すように、脚体３は、その垂直をなす脚柱３aの上下の端部が、間仕切パネル本体１における中間部と下部の横連結杆６の前面に連結されるものであるが、上下の連結構造は同一であるため、上部のみ説明し、下部のものは省略する。
【００４３】
左右の脚柱３a、３aの上端部は、アルミニウム合金等よりなる後方を向く左右２個の連結アーム４０、４０と、左右２個の連結金具４１、４１とにより、中間部の横連結杆６の前面に、次のようにして連結されている。
【００４４】
連結アーム４０、４０は、左右対称で、かつ上述した配線収容体２の前後寸法よりも長寸をなし、後端部には、横連結杆６の上下の内向突片６a、６aの前面に当接可能な上下寸法の平面視直角三角形状の固定部４０a、４０aが、互いに外側方に反対向きに一体的に連設されている。
固定部４０aを含む連結アーム４０の外側面には、前後方向を向く凹溝４２が、前端部まで形成され、固定部４０aにおける前後両面が垂直をなす固定片４０bには、前後方向を向く取付孔４３が穿設されている。
【００４５】
両固定片４０bの後面の外側端部と対向端側には、それぞれ横連結杆６の上下の内向突片６a間に嵌合可能な突部４４、４５が後向きに突設されている。対向端側の両突部４５、４５は、両連結アーム４０の対向面側にも突出し、図６に示すように、互いの対向面が当接しうるようになっている。この当接時において、両連結アーム４０の対向面間に、脚柱３aの左右寸法とほぼ等しい幅の隙間４６が形成されるようにしてある。各連結アーム４０の突部４４、４５は、連結金具４１が嵌合しうる寸法だけ離間させてある。
【００４６】
左右の連結アーム４０、４０の前端部には、ボルト４７を挿入しうるとともに、ナット４８を回り止めして挿入可能な左右方向を向く段付孔４９、４９が、左右対称をなすように形成され、いずれか一方の段付孔４９に挿入したナット４８に、他方の段付孔４９より挿入したボルト４７を螺合することにより、両連結アーム４０、４０の前端部同士が固定されるようになっている。
両連結アーム４０、４０における段付孔４９を挟む前端部の対向面には、非円形、すなわち上下方向を向く角柱状の前後１対の突部５０、５０が突設されている。
【００４７】
上記左右の連結金具４１は、横連結杆６の上下の内向突片６a間に嵌合可能な垂直平板状の基片４１aと、この基片４１aの両側端に連設され、上端に上向きの係合突部４１bを有する側片４１c、４１cとを備え、基片４１aの中央には、めねじ孔５１が設けられている。
【００４８】
脚体３を横連結杆６の前面に取付けるには、まず２個の連結金具４１を係止溝８に嵌合して、それらの係合突部４１bを上部の内向突片６aの後面に係合させる。
ついで、左右の連結アーム４０、４０における固定部４０aの後面の突部４４、４５を、係止溝８に嵌合するとともに、両突部４４、４５間に連結金具４１を嵌合させて、固定片４０bの後面を上下の内向突片６aの前面に当接し、この状態で、固定片４０bに設けた取付孔４３に前方より挿入したボルト５２を、連結金具４１のめねじ孔５１に螺合し、両連結アーム４０を横連結杆６の前面に仮固定する。
【００４９】
ついで、脚柱３aの上端部を、左右の連結アーム４０、４０の前端部間に挾入し、脚柱３aの上端部に穿設された縦長長方形をなす嵌合孔５３と、後方及び両側方に開口する縦長の切欠き孔５４とに、両連結アーム４０、４０の前後の突部５０、５０を嵌合させたのち、一方の連結アーム４０の段付孔４９より挿入したボルト４７を、脚柱３aの上端部の通孔５５に挿通し、他方の連結アーム４０の段付孔４９に挿入したナット４８に螺合させて締め付ける。なお、上記嵌合孔５３及び切欠き孔５４の代わりに、脚柱３aの両側面に、両突部５０が嵌合される凹部を設けてもよい。
また、上記とは反対に、脚柱３aの両側面に突部を、左右の連結アーム４０の内側面に、凹部または嵌合孔をそれぞれ設けてもよい。
【００５０】
ついで、上記ボルト５２を強く締め付けると、連結金具４１の係合突部４１bが内向突片６aの後面に強く係合し、かつ固定片４０bの後面が上下の内向突片６aの前面に押し付けられることにより、左右の連結アーム４０は、両内向突片６aを挟んで、横連結杆６の前面に強固に固定されるとともに、脚体３も、両連結アーム４０を介して横連結杆６に強固に連結される。連結後において、脚体３の前方を向くベース脚３bの前端に設けたアジャスタ５６が、床面に接床することにより、間仕切パネル本体１が安定よく支持され、前方に倒れるのが防止される。
【００５１】
連結アーム４０の前後寸法を、配線収容体２の前後寸法より長寸としてあるので、図１に示すように、脚体３の連結後において、脚柱３aと配線収容体２の前面パネル１９との間には、前面パネル１９を着脱しうるだけの空間５７が形成される。従って、脚体３を間仕切パネル本体１に連結したままで、前面パネル１９を取り外し、配線作業を容易に行うことができる。
また、配線収容体２は、上位の連結アーム４０よりも下方に位置しているので、配線収容体２の上面に取付けた上カバー３４も、脚体３を連結したままで着脱することができる。
なお、横連結杆６の係止溝８は、左右方向に連続しているので、ボルト５２を緩めるだけで、脚体３の位置を左右方向に容易に変更することができる。
【００５２】
上述したテーブル４は、図１及び図８に示すように、前部下端にアジャスタ５８を有する左右１対の側脚５９、５９と、それらの上端部に固着された前後方向を向く支持杆６０と、その上面に支持固定された天板６１とからなり、上記と同様、間仕切パネル本体１における中間部と下部の横連結杆６の前面に連結されている。
【００５３】
すなわち、上記と同形をなす１個の連結アーム４０の後端を、上記と同じ連結金具(図示略)を用いて、上下の横連結杆６の前面の係止溝８に取付けた後、両連結アーム４０の前端部に、左右の側脚５９における上下両端部の内側面をねじにより固定することにより、テーブル４は、両側脚５８の後端と配線収容体２の前面との間に、配線収容体２の前面パネル１９を着脱しうるだけの空間６２が形成されるようにして、かつ左右位置を変更可能として、上下の横連結杆６の前面に連結されている。
これにより、間仕切パネル本体１の前面に、テーブル４を安定よく連結しうるとともに、間仕切パネル本体１もテーブル４により安定して支持される。
【００５４】
また、テーブル４を間仕切パネル本体１に連結したままで、配線収容体２の前面パネル１９の着脱が可能となり、配線作業を容易に行うことができる。
【００５５】
さらに、図８に示すように、配線収容体２の上カバー３４は、上位の連結アーム４０の下方に位置しているので、テーブル４を連結したまま、上カバー３４を着脱することができる。なお、左右の側脚５９の両側面の上下部を、上述した脚体３と同様、左右１対の連結アーム４０の前端部により挟持して固着してもよく、このようにすると、テーブル４の間仕切パネル本体１への連結強度が大となる。
連結後において天板６１は、配線収容体２の上方に位置するとともに、後端を間仕切パネル本体１の前面より離間させることにより、配線収容体２の上方に配線挿通空間６３が形成されるようにしてあり、天板６１に載置したＯＡ機器等のケーブルを、配線挿通空間６３より通線空間Ｓ内に引き込むことができるようにしてある。
【００５６】
以上説明したように、上記実施形態の間仕切り装置においては、支持体としての脚体３における脚柱３aの上下２箇所に、前後方向を向く左右１対ずつの連結アーム４０の前端部を、脚柱３aの両側面を挟持するようにして固着し、かつ左右の連結アーム４０の後端部を、間仕切パネル本体１のフレーム７における上下の横連結杆６の前面に固定しているので、脚体３の間仕切パネル本体１の前面への連結強度が大となり、間仕切パネル本体１を安定よく自立させることができる。
【００５７】
また、脚体３及びテーブル４は、配線収容体２の前面パネル１９の前方に離間させて、間仕切パネル本体１の前面に連結されているので、脚体３及びテーブル４を連結したまま、前面パネル１９を着脱することができ、配線収容体２の通線空間Ｓへの配線やメンテナンス作業等を、前方より容易に行うことができる。
【００５８】
上記実施形態においては、間仕切パネル本体１の前面にのみ、脚体３やテーブル４を設けているが、間仕切パネル本体１の後面にも、上記実施形態と同一構造の脚体やテーブルを設けることもある。
間仕切パネル本体１を自立させる支持体としては、サイドパネル等であってもよい。
【図面の簡単な説明】
【００５９】
【図１】本発明の間仕切り装置の一実施形態の斜視図である。
【図２】同じく、右半部の配線収容体を分解した間仕切パネル本体の斜視図である。
【図３】同じく、一部切欠き拡大正面図である。
【図４】図３のIV-IV線拡大縦断側面図である。
【図５】横連結杆と脚体との連結部の拡大分解斜視図である。
【図６】同じく連結後の拡大横断平面図である。
【図７】図６のVII-VII線縦断側面図である。
【図８】脚体を省略して示す間仕切り装置の側面図である。
【符号の説明】
【００６０】
１    間仕切パネル本体
２    配線収容体
３    脚体(支持体)
３a   脚柱
３b   ベース脚
４    テーブル(支持体)
５    支柱
６    横連結杆
６a   内向突片
７    フレーム
８    係止溝
９    側部カバー
１０  上部カバー
１１  アジャスタ
１２  目隠しパネル
１３  後部化粧パネル
１４  係合孔
１５  横支持杆
１５a 後向折曲片
１６  横支持杆
１６a 後向折曲片
１７  縦支持杆
１７a 前面板
１７b 後面板
１７c 側面板
１７d 上面板
１７e 内向折曲片
１８  配線トレー
１８a 上向片
１８b 下向片
１８c 下向側片
１９  前面パネル
２０  係止片
２１  突条片
２２  止めねじ
２３  閉塞板
２４  ねじ
２５  通線孔
２６  通孔
２７  ボルト
２８  取付孔
２９  ナット
３０  通線孔
３１  止めねじ
３２  係止フック
３３  係止孔
３４  上カバー
３５  スペーサ
３５a 止め具
３６  配線取出口
３７  カバー片
３８  サイドカバー
３９  係止フック
４０  連結アーム
４０a 固定部
４０b 固定片
４１  連結金具
４１a 基片
４１b 係合突部
４１c 側片
４２  凹溝
４３  取付孔
４４  突部
４５  突部
４６  隙間
４７  ボルト
４８  ナット
４９  段付孔
５０  突部
５１  めねじ孔
５２  ボルト
５３  嵌合孔
５４  切欠き孔
５５  通孔
５６  アジャスタ
５７  空間
５８  アジャスタ
５９  側脚
６０  支持杆
６１  天板
６２  空間
６３  配線挿通空間
Ｓ    通線空間
【図１】
2009108643.tif 000003
【図２】
2009108643.tif 000004
【図３】
2009108643.tif 000005
【図４】
2009108643.tif 000006
【図５】
2009108643.tif 000007
【図６】
2009108643.tif 000008
【図７】
2009108643.tif 000009
【図８】
2009108643.tif 000010